(57)【要約】【課題】底壁に形成されるリールギアに、部分的に歯の無いエリアが形成されていても、フランジの面振れ幅を抑制できるリールの提供を課題とする。【解決手段】記録テープＴが巻回されるハブ２２と、ハブ２２の一方の端部に設けられる第１フランジ２４と、ハブ２２の他方の端部に設けられる第２フランジ２６と、所定の円周上に沿って形成されるとともに歯の無いエリア４４Ａが部分的に形成されるリールギア４４を備えた底壁２８と、歯の無いエリア４４Ａに重ね合わせる張出部４６Ａを備え、底壁２８に固着されるリールプレート４６と、を有するリール２０とする。【選択図】図６
2008112540.tif 000002
【特許請求の範囲】
【請求項１】
記録テープが巻回されるハブと、
前記ハブの一方の端部に設けられる第１フランジと、
前記ハブの他方の端部に設けられる第２フランジと、
所定の円周上に沿って形成されるとともに歯の無いエリアが部分的に形成されるリールギアを備えた底壁と、
前記歯の無いエリアに重ね合わせる張出部を備え、前記底壁に固着されるリールプレートと、
を有することを特徴とするリール。
【請求項２】
前記張出部の形状が、前記歯の無いエリアの形状と略同形状とされていることを特徴とする請求項１に記載のリール。
【発明の詳細な説明】
【技術分野】
【０００１】
本発明は、主にコンピューター等の記録再生媒体として使用される磁気テープ等の記録テープが巻装されるリールに関する。
【背景技術】
【０００２】
従来、コンピューター等のデータ記録再生媒体（データバックアップ）として使用される磁気テープ等の記録テープを合成樹脂製のリールに巻装し、そのリールをケース内に単一で収容してなる記録テープカートリッジが知られている。このような記録テープカートリッジにおいて、記録テープが巻回されるリールの寸法形状には高精度が要求される（例えば、特許文献１参照）。
【０００３】
しかしながら、リールは、樹脂材で成形されているため、成形時において誤差が生じやすい。例えば、制動部材の制動を解除する解除部材の脚部が挿通可能な貫通孔が、リールギアの一部を欠いて底壁に形成されているリール（例えば、特許文献２参照）では、その貫通孔が形成されている（リールギアの歯が無い）エリアと、リールギアの歯が形成されているエリアとでは、リールギアの歯の分だけ厚さに差が生じてしまう。そのため、樹脂の応力分布が均一にならず、樹脂の収縮差による変形が生じてしまうおそれがある。そして、これにより、底壁側に設けられる下フランジの面振れ幅が増大化してしまう問題がある。
【特許文献１】特開２００５−５０４８７号公報
【特許文献２】特開２００６−２２８３５０号公報
【発明の開示】
【発明が解決しようとする課題】
【０００４】
そこで、本発明は、このような問題点に鑑み、底壁に形成されるリールギアに、部分的に歯の無いエリアが形成されていても、フランジの面振れ幅を抑制できるリールを得ることを目的とする。
【課題を解決するための手段】
【０００５】
上記の目的を達成するために、本発明に係る請求項１に記載のリールは、記録テープが巻回されるハブと、前記ハブの一方の端部に設けられる第１フランジと、前記ハブの他方の端部に設けられる第２フランジと、所定の円周上に沿って形成されるとともに歯の無いエリアが部分的に形成されるリールギアを備えた底壁と、前記歯の無いエリアに重ね合わせる張出部を備え、前記底壁に固着されるリールプレートと、を有することを特徴としている。
【０００６】
請求項１に記載の発明によれば、底壁に形成されるリールギアに、部分的に歯の無いエリアが形成されていても、リールプレートの張出部で、その歯の無いエリアの剛性を確保することができる（補強することができる）ので、フランジの寸法精度を高精度に維持することができる。よって、フランジの面振れ幅を抑制することができる。
【０００７】
また、請求項２に記載のリールは、請求項１に記載のリールにおいて、前記張出部の形状が、前記歯の無いエリアの形状と略同形状とされていることを特徴としている。
【０００８】
請求項２に記載の発明によれば、歯の無いエリアの剛性を良好に確保することができる（良好に補強することができる）。よって、フランジの寸法精度を高精度に維持することができ、フランジの面振れ幅を抑制することができる。
【発明の効果】
【０００９】
以上のように、本発明によれば、底壁に形成されるリールギアに、部分的に歯の無いエリアが形成されていても、フランジの面振れ幅を抑制できるリールを提供することができる。
【発明を実施するための最良の形態】
【００１０】
以下、本発明の最良な実施の形態を図面に示す実施例に基づいて詳細に説明する。なお、説明の便宜上、図１において、記録テープカートリッジ１０のドライブ装置への装填方向を矢印Ａで示し、それを記録テープカートリッジ１０の前方向（前側）とする。そして、矢印Ａと直交する矢印Ｂ方向を右方向（右側）とする。
【００１１】
図１乃至図５で示すように、記録テープカートリッジ１０は、略矩形箱状のケース１２を有している。このケース１２は、ＰＣ（ポリカーボネート）等の樹脂製の上ケース１４と下ケース１６とが、それぞれ天板１４Ａの周縁に立設された周壁１４Ｂと、底板１６Ａの周縁に立設された周壁１６Ｂとを互いに当接させた状態で、超音波溶着やネジ止め等によって接合されて構成されている。
【００１２】
ケース１２の内部には、リール２０が１つだけ回転可能に収容される。このリール２０は、軸心部を構成する有底円筒状のリールハブ２２と、その下端部に設けられる下フランジ２６とが一体に成形され、上フランジ２４がリールハブ２２の上端部に超音波溶着されて構成されている。そして、そのリールハブ２２の外周面に、情報記録再生媒体としての磁気テープ等の記録テープＴが巻回され、上フランジ２４及び下フランジ２６によって、その巻回された記録テープＴの幅方向の端部が保持されている。
【００１３】
また、リールハブ２２の底壁２８の下面には、リールギア４４が略環状に形成されている。すなわち、このリールギア４４上には、歯の無いエリア４４Ａが複数箇所（図示のものは１２０度間隔で３箇所）、部分的に（歯の一部を欠いて）形成されており、その歯の無いエリア４４Ａの底壁２８には、後述する解除部材９０の脚部９４が挿通される貫通孔２８Ａが形成されている。
【００１４】
また、下ケース１６の中央部には、そのリールギア４４を外部に露出するためのギア開口４０が穿設されている。このギア開口４０から露出されるリールギア４４が、ドライブ装置の回転シャフト１００に形成された駆動ギア１０２（図４、図５参照）に噛合されて回転駆動されることにより、ケース１２内において、リール２０がケース１２に対して相対回転可能とされる。
【００１５】
なお、不使用時（ドライブ装置に装填されないときであり、例えば保管時や運搬時等）においては、リール２０は、上ケース１４及び下ケース１６の内面にそれぞれ部分的に突設されて、ギア開口４０と同軸的な円形の軌跡上にある内壁としての遊動規制壁４２によってガタつかないように保持される。
【００１６】
また、底壁２８の下面におけるリールギア４４の径方向内側には、磁性材料でできた環状金属板であるリールプレート４６が、インサート成形により、同軸的かつ一体的に固着されており、ドライブ装置の回転シャフト１００に設けられた環状のマグネット（図示省略）の磁力によって吸着・保持されるようになっている。
【００１７】
また、このリールプレート４６には、図６、図７で示すように、リールギア４４の所定部位に形成された複数（この場合は３つ）の歯の無いエリア４４Ａに重ね合わせることが可能な複数個（この場合は３個）の張出部４６Ａが、その歯の無いエリア４４Ａと略同形状、好ましくは同形状で径方向に延設されている。
【００１８】
そして、その張出部４６Ａには、貫通孔２８Ａと連通する貫通孔４６Ｂが形成されている。なお、この貫通孔４６Ｂの内径は、貫通孔２８Ａの内径と同径か、それよりも若干大径とすることが好ましい。このような構成にすれば、後述する解除部材９０の脚部９４を確実に貫通孔２８Ａ、４６Ａに挿通させることが可能となる。
【００１９】
また、ケース１２の右壁１２Ｂには、リール２０に巻装された記録テープＴを引き出すための開口１８が形成されており、この開口１８から引き出される記録テープＴの自由端部には、ドライブ装置の引出部材（図示省略）によって係止（係合）されつつ引き出し操作されるリーダーピン３０が固着されている。
【００２０】
リーダーピン３０の記録テープＴの幅方向端部より突出した両端部には、環状溝３２が形成されており、この環状溝３２が引出部材のフック等に係止される。これにより、記録テープＴを引き出す際に、フック等が記録テープＴに接触して傷付けることがない構成である。
【００２１】
また、ケース１２の開口１８の内側、即ち上ケース１４の天板１４Ａ内面及び下ケース１６の底板１６Ａ内面には、ケース１２内においてリーダーピン３０を位置決めして保持する上下一対のピン保持部３６が設けられている。このピン保持部３６は、記録テープＴの引き出し側が開放された略半円形状をしており、直立状態のリーダーピン３０の両端部３４は、その開放側からピン保持部３６内に出入可能とされている。
【００２２】
また、ピン保持部３６の近傍には、板バネ３８が固定配置されるようになっており、この板バネ３８の二股状の先端部がリーダーピン３０の上下両端部３４にそれぞれ係合してリーダーピン３０をピン保持部３６に保持するようになっている。なお、リーダーピン３０がピン保持部３６に出入する際には、板バネ３８の先端部は適宜弾性変形してリーダーピン３０の移動を許容する構成である。
【００２３】
また、その開口１８は、ドア５０によって開閉される。このドア５０は、開口１８を閉塞可能な大きさの略矩形板状に形成され、ケース１２の右壁１２Ｂに沿って移動できるように、開口１８内側の天板１４Ａ及び底板１６Ａには、ドア５０の上下端部を摺動可能に嵌入させる溝部６４が形成されている。
【００２４】
また、ドア５０の後端部中央には、シャフト５２が突設されており、そのシャフト５２には、コイルバネ５８が挿嵌されている。そして、シャフト５２の後端には、そのコイルバネ５８を脱落防止とする拡開部５４が形成されている。また、下ケース１６には、そのシャフト５２に挿嵌されたコイルバネ５８の後端を係止する係止部６２を有する支持台６０が突設されている。
【００２５】
したがって、ドア５０は、シャフト５２が支持台６０上に摺動自在に支持されるとともに、コイルバネ５８の後端が係止部６２に係止されることにより、そのコイルバネ５８の付勢力によって、常時開口１８の閉塞方向へ付勢される構成である。なお、開口１８の開放時、シャフト５２を支持する支持台６６を支持台６０の後方側に更に突設しておくことが好ましい。
【００２６】
また、ドア５０の前端部には、開閉操作用の凸部５６が外方に向かって突設されている。この凸部５６が、記録テープカートリッジ１０のドライブ装置への装填に伴い、そのドライブ装置側の開閉部材（図示省略）と係合するようになっている。これにより、ドア５０がコイルバネ５８の付勢力に抗して開放される構成である。
【００２７】
また、図２、図３で示すように、ケース１２の左後部には、記録テープＴへの記録可・不可が設定されるライトプロテクト７０が左右方向にスライド可能に設けられており、ケース１２の後壁には、このライトプロテクト７０を人手で操作するための操作突起７２を突出させる開孔６８が形成されている。この開孔６８は、上ケース１４と下ケース１６とを接合したときに、上ケース１４の周壁１４Ｂに形成された切欠部６８Ａと、下ケース１６の周壁１６Ｂに形成された切欠部６８Ｂとによって形成される構成である。
【００２８】
また更に、下ケース１６には、ライトプロテクト７０の突部７４が露出される長孔６９が左右方向に長く穿設されており、記録テープカートリッジ１０がドライブ装置に装填されたときに、そのドライブ装置側でライトプロテクト７０の位置を検知して、記録テープＴへの記録可・不可が自動的に判断されるようにしている。なお、この突部７４は下ケース１６の下面から突出することはない。
【００２９】
また、リールハブ２２の底壁２８の上面周縁には、係合ギア４８が所定の間隙を隔てて等間隔に複数（例えば１２０度間隔で３個）立設されており、その係合ギア４８の間で、リールギア４４上となる所定位置に、後述する解除部材９０の脚部９４を挿通させる貫通孔２８Ａが複数個（この場合は１２０度間隔で３個）穿設されている。そして、そのリールハブ２２の内部には、樹脂材で成形された円板状の制動部材８０が挿設される。
【００３０】
制動部材８０の下面８０Ａ周縁には、係合ギア４８と噛合可能な制動ギア８４が環状に形成されており、制動部材８０の上面には、上ケース１４の天板１４Ａ内面から下方へ向かって突設された平面視略十字状の回転規制リブ７６が内部に挿入される平面視略十字状の係合突起８６が、その回転規制リブ７６の高さよりも若干高くなるように立設されている。これにより、制動部材８０はケース１２（上ケース１４）に対して回転不能とされるとともに、リールハブ２２内において、上下方向に移動可能とされる。
【００３１】
また、上ケース１４と制動部材８０との間には圧縮コイルスプリング９８が配設される。すなわち、圧縮コイルスプリング９８の一端が上ケース１４の回転規制リブ７６の外側に突設された環状突起７８の内側（回転規制リブ７６と環状突起７８の間）に当接し、他端が制動部材８０の上面に設けられた環状溝８８内に当接した状態に配設される。この圧縮コイルスプリング９８の付勢力により、制動部材８０は、常時下方に向かって付勢される。
【００３２】
したがって、記録テープカートリッジ１０は、不使用時（ドライブ装置に装填されないとき）において、常時制動ギア８４が係合ギア４８と噛合する状態とされて、リール２０のケース１２に対する相対回転が阻止された回転ロック状態とされる。なお、このとき、リール２０は、この付勢力によって下ケース１６側に押し付けられ、リールギア４４をギア開口４０から露出させる。
【００３３】
また、リールハブ２２の内部で、かつ制動部材８０の下側（底壁２８と制動部材８０との間）には、樹脂材で成形された平面視略正三角形状の解除部材９０が挿設される。解除部材９０には、適宜位置に所定の形状とされた貫通孔９２が複数（図示のものは六角形状とされて３つ）穿設されており、解除部材９０の軽量化が図られている。
【００３４】
また、解除部材９０の下面で、かつ各頂点部分には、底壁２８に形成された貫通孔２８Ａとリールプレート４６の張出部４６Ａに形成された貫通孔４６Ｂに挿通されて、底壁２８（リールプレート４６）の下面からリールギア４４上に所定高さ突出する脚部９４が突設されている。そして、解除部材９０の平面とされた上面９０Ａ中央に、制動部材８０の下面８０Ａ中央に突設された略半球状の解除突起８２が当接するようになっている。
【００３５】
このような構成とすることにより、制動部材８０と解除部材９０との接触面積を極力低減し、使用時（リール２０の回転時）における摺動抵抗を極力軽減するようにしている。なお、制動部材８０の材質としては、例えばＰＯＭ（ポリアセタール）が用いられ、解除部材９０の材質としては、例えばＰＢＴ（ポリブチレンテレフタレート）が用いられる。
【００３６】
次に、以上のような構成のリール２０を備えた記録テープカートリッジ１０の作用について説明する。記録テープカートリッジ１０では、不使用時（保管時や運搬時等）には、開口１８がドア５０によって閉塞されている。そして、圧縮コイルスプリング９８の付勢力によって、制動部材８０が回転ロック位置に位置して制動ギア８４を係合ギア４８に噛合させている。このため、リール２０は、ケース１２に対する回転が阻止されている。
【００３７】
一方、記録テープＴを使用する際には、前壁１２Ａを先頭にして記録テープカートリッジ１０を矢印Ａ方向に沿って、ドライブ装置内へ装填する。すると、まず、そのドライブ装置側に設けられた開閉部材（図示省略）が、ドア５０の凸部５６に係合する。そして、この状態で、記録テープカートリッジ１０が更に矢印Ａ方向へ移動すると、開閉部材が凸部５６をコイルバネ５８の付勢力に抗しつつ相対的に後方へ移動させる。すると、その凸部５６が突設されているドア５０は、右壁１２Ｂに沿って溝部６４内を後側へ摺動し、開口１８を開放する。
【００３８】
こうして、記録テープカートリッジ１０がドライブ装置に所定深さ装填され、開口１８が完全に開放されると、記録テープカートリッジ１０は所定高さ下降し、ドライブ装置の位置決め部材（図示省略）が、下ケース１６に形成された位置決め用の穴部（図示省略）に挿入される。これにより、記録テープカートリッジ１０がドライブ装置内における所定位置に精確に位置決めされ、ドア５０のそれ以上の摺動（後方への移動）が規制される。
【００３９】
また、図４、図５で示すように、この記録テープカートリッジ１０の下降動作によって、回転シャフト１００が相対的にギア開口４０から進入し、駆動ギア１０２をリールギア４４に噛合させる。すると、その駆動ギア１０２がリールギア４４と噛合する動作に伴って、リールギア４４上に突出している脚部９４が、圧縮コイルスプリング９８の付勢力に抗して押し上げられ、解除部材９０を介して制動部材８０が上方へ押し上げられて、制動ギア８４と係合ギア４８との噛合が解除される。
【００４０】
そして、駆動ギア１０２とリールギア４４とが完全に噛合した状態で、リールプレート４６が、駆動ギア１０２の内側に設けられた環状のマグネットの磁力によって吸着・保持されることにより、リール２０は、駆動ギア１０２に対するリールギア４４の噛合が維持されつつ、ケース１２内で、そのケース１２に対して相対回転可能となるロック解除状態とされる（図５参照）。
【００４１】
一方、開放された開口１８からは、ドライブ装置側に設けられた引出部材がケース１２内に進入し、ピン保持部３６に位置決め保持されたリーダーピン３０を把持して引き出す。なお、このとき、記録テープカートリッジ１０はドライブ装置内において精確に位置決めされているので、引出部材は確実にリーダーピン３０の環状溝３２にそのフックを係止させることができる。また、リール２０は、その回転ロック状態が解除されているので、リーダーピン３０の引出動作に伴って回転できる。
【００４２】
こうして、開口１８から抜き出されたリーダーピン３０は、図示しない巻取リールに収容される。そして、その巻取リールとリール２０とを同期して回転駆動することにより、記録テープＴは、巻取リールに巻き取られつつ順次ケース１２から引き出され、所定のテープ経路に沿って配設された記録再生ヘッド（図示省略）によって情報の記録や再生が行われる。
【００４３】
情報の記録や再生が終了した記録テープカートリッジ１０をドライブ装置から排出する際には、まず、回転シャフト１００が逆回転することにより、記録テープＴがリール２０に巻き戻される。そして、記録テープＴがリール２０に最後まで巻き戻されて、リーダーピン３０がピン保持部３６に保持されると、記録テープカートリッジ１０は所定高さ上昇し、位置決め部材が位置決め用の穴部から抜き出されるとともに、回転シャフト１００がギア開口４０から抜き出され、リールギア４４に対する駆動ギア１０２の噛合が解除される。
【００４４】
すると、圧縮コイルスプリング９８の付勢力により、制動部材８０及び解除部材９０が下方に向かって押圧され、解除部材９０の脚部９４が、底壁２８の貫通孔２８Ａ及びリールプレート４６の貫通孔４６Ｂに挿通されて、底壁２８（リールプレート４６）の下面からリールギア４４上に所定高さ突出するとともに、制動ギア８４が係合ギア４８に噛合する。
【００４５】
これにより、リール２０は、再度ケース１２内での相対回転が阻止された回転ロック状態となり、その後、記録テープカートリッジ１０は、図示しないイジェクト機構によって矢印Ａ方向とは反対方向に移動される。すると、この移動に伴って、ドア５０はコイルバネ５８の付勢力によって開口１８の閉塞方向へ摺動し、開口１８を完全に閉塞する（初期状態に復帰する）。こうして、リール２０のケース１２に対する相対回転がロックされ、開口１８が閉塞された記録テープカートリッジ１０は、ドライブ装置内から完全に排出される。
【００４６】
ここで更に、リール２０の構造について説明する。図６、図７で示すように、底壁２８の下面側には、リールギア４４の歯が一部欠落しているエリア４４Ａが、等間隔に複数個（図示のものは３個）形成されており、その歯が無いエリア４４Ａに、底面視でエリア４４Ａと略同形状（好ましくは同形状）とされた張出部４６Ａを重ね合わせるようにして、リールプレート４６が底壁２８にインサート成形によって固着されている。したがって、リールギア４４の歯が形成されているエリア４４Ｂよりも、その歯の分、板厚が薄くされて剛性が低下している歯の無いエリア４４Ａの剛性が良好に確保される。
【００４７】
つまり、底壁２８の下面側に、所定の円周上に沿って形成されるリールギア４４に、部分的に歯の無いエリア４４Ａが形成される構成のリール２０であっても、インサート成形時に、その歯の無いエリア４４Ａを、金属製リールプレート４６の張出部４６Ａで良好に補強することができるので、底壁２８全体における樹脂の収縮差を緩和することができ、下フランジ２６の寸法（形状）精度を高精度に維持することができる。よって、下フランジ２６の面振れ幅を抑制することができる。
【００４８】
なお、解除部材９０を有する記録テープカートリッジ１０の場合、その歯の無いエリア４４Ａの底壁２８とリールプレート４６の張出部４６Ａに、それぞれ貫通孔２８Ａ、４６Ｂが形成されるが、この場合でも、底壁２８全体における樹脂の収縮差を緩和することができ、下フランジ２６の寸法（形状）精度を高精度に維持することができる。つまり、本実施形態に係るリールプレート４６は、解除部材９０を備えた記録テープカートリッジ１０のリール２０に良好に適用可能である。
【００４９】
また、径方向に張り出す張出部４６Ａが、リールギア４４の歯の無いエリア４４Ａに重ね合わされるように設けられることにより、金型（図示省略）でのインサート成形時に、その張出部４６Ａを底壁２８に対するリールプレート４６の回転止め用とすることができる効果もある。
【００５０】
また、上記実施形態の記録テープカートリッジ１０では、リーダー部材としてリーダーピン３０を有する構成としたが、記録テープカートリッジ１０は上記実施形態に限定されるものではなく、例えばリーダー部材としてリーダーテープ（図示省略）を有する構成としてもよい。更に、記録テープＴは、情報の記録及び記録した情報の再生が可能な長尺テープ状の情報記録再生媒体として把握されるものであれば足り、記録テープカートリッジ１０（リール２０）が如何なる記録再生方式の記録テープＴにも適用可能であることは言うまでもない。
【図面の簡単な説明】
【００５１】
【図１】記録テープカートリッジの概略斜視図
【図２】記録テープカートリッジを上から見た場合の概略分解斜視図
【図３】記録テープカートリッジを下から見た場合の概略分解斜視図
【図４】回転シャフトの駆動ギア噛合前の記録テープカートリッジを示す概略側断面図
【図５】回転シャフトの駆動ギア噛合後の記録テープカートリッジを示す概略側断面図
【図６】リールの概略底面図
【図７】リールプレートの概略斜視図
【符号の説明】
【００５２】
１０  記録テープカートリッジ
１２  ケース
２０  リール
２２  リールハブ
２４  上フランジ（第１フランジ）
２６  下フランジ（第２フランジ）
２８  底壁
２８Ａ  貫通孔
４４  リールギア
４４Ａ  エリア
４４Ｂ  エリア
４６  リールプレート
４６Ａ  張出部
４６Ｂ  貫通孔
４８  係合ギア
５０  ドア
８０  制動部材
８４  制動ギア
９０  解除部材
９４  脚部
【図１】
2008112540.tif 000003
【図２】
2008112540.tif 000004
【図３】
2008112540.tif 000005
【図４】
2008112540.tif 000006
【図５】
2008112540.tif 000007
【図６】
2008112540.tif 000008
【図７】
2008112540.tif 000009